(57)【要約】      （修正有）【課題】流体を注入されることにより膨張する袋体を有する表示装置の表面に表示された所定内容を容易に変更することができる表示装置を提供する。【解決手段】流体を注入されることにより膨張する袋体により構成される本体部２１と、所定内容の表示が外面側から視認可能に表示され、本体部に外嵌されることで本体部により支持される筒状の表示部４１と、を備えてなる、表示装置である。本体部が、流体を注入され膨張した状態で水平面に載置された場合、所定方向に自動的に向くよう偏在した重心を有するものであり、該所定方向に向いた本体部に外嵌された表示部の前記所定内容の表示が、該水平面に沿った方向から視認可能であってもよい。【選択図】  図１
2007047344.tif 000002
【特許請求の範囲】
【請求項１】
流体を注入されることにより膨張する袋体により構成される本体部と、
所定内容の表示が外面側から視認可能に表示され、本体部に外嵌されることで本体部により支持される筒状の表示部と、
を備えてなる、表示装置。
【請求項２】
本体部が、流体を注入され膨張した状態で水平面に載置された場合、所定方向に自動的に向くよう偏在した重心を有するものであり、
該所定方向に向いた本体部に外嵌された表示部の前記所定内容の表示が、該水平面に沿った方向から視認可能である、請求項１に記載の表示装置。
【請求項３】
本体部が柱体形状をした柱体部分を有しており、
表示部が形成する筒が該柱体部分の側面を包囲するよう、表示部が本体部に外嵌されるものである、請求項１又は２に記載の表示装置。
【請求項４】
筒状の表示部が、シート部材が筒状に丸められることにより形成され、
分断部分をシート部材が有するものであり、
該分断部分の両側のうち片側に設けられる第１係合部と、該両側のうちもう一方に設けられる第２係合部と、を有してなり、第１係合部及び第２係合部が互いに係合することで分断部分が閉じられるものである、請求項３に記載の表示装置。
【請求項５】
前記分断部分が、シート部材のうち前記柱体部分の両底部の少なくとも一方側の縁部に形成されておらず該縁部が環状になっているものである、請求項４に記載の表示装置。
【請求項６】
前記縁部が形成する環状の周を収縮させる収縮手段を、表示部が有してなるものである、請求項５に記載の表示装置。
【請求項７】
前記所定内容が広告宣伝に関するものである、請求項１乃至６のいずれか１に記載の表示装置。
【請求項８】
請求項１乃至７のいずれか１に記載の表示装置を構成する、前記表示部。
【発明の詳細な説明】
【技術分野】
【０００１】
本発明は、表示装置に関し、より詳細には、流体を注入されることにより膨張する袋体を有する表示装置に関する。
【背景技術】
【０００２】
流体を注入されることにより膨張する袋体を有する表示装置は、該表示装置の表面に所定内容を表示することで広告や宣伝等のような目的に用いる（袋体に流体が注入され膨張された状態にて使用される。）ことができ、使用しないときや搬送時には袋体内部に流体を注入していない状態にすることで小形化することができることから便利であり、これまで数多く用いられてきた（例えば、特許文献１参照）。
【０００３】
特許文献１には、「空気の注入によってふくらませることが出来ると共に、その底部に液体を収納し得る多重底を設けた起立広告体に於て、前記多重底の外周シール部の内側に所定の隙間を保って間歇的に切断されたシール線を設けて構成したことを特徴とした広告デイスプレイ。」（特許文献１中の請求項１）が開示されている。これは、「起立広告体をプラスチック材で筒状に形成し、その内部に空気を注入することによって、ふくらませることが出来るように構成していた。また空気でふくらませる前述の起立広告体は、その底部を二重底に形成し、この二重底に液体や砂等を収納することによって、これを重りとして、起立広告体を安定した状態で起立せしめるように構成していた」（特許文献１中、考案の詳細な説明の段落番号０００２）ものに関し、「底部に収納した液体に急激な圧がかかった場合にも、その反動で液圧が底部の外周部に設けた外周シール部に直接伝達せず、この外周部のショックをやわらげ、これによって外周シール部の破断を防止し得る」（特許文献１中、考案の詳細な説明の段落番号０００５）ものである。この広告デイスプレイの表面に所定内容を表示することで広告や宣伝等のような目的に用いることができる。
【０００４】
【特許文献１】実開平７−１９７８２号公報（例えば、考案の詳細な説明中の段落番号０００１〜０００５、請求項１等）
【発明の開示】
【発明が解決しようとする課題】
【０００５】
特許文献１に記載の表示装置（広告デイスプレイ）は、流体（空気）を注入されることにより膨張する袋体（起立広告体）を有する表示装置であり、該表示装置（広告デイスプレイ）の表面に所定内容を表示することで広告や宣伝等のような目的に用いる（袋体（起立広告体）に流体（空気）が注入され膨張された状態にて使用される。）ことができ、使用しないときや搬送時には袋体（起立広告体）内部に流体（空気）を注入していない状態にすることで小形化することができることから便利であるが、該表示装置（広告デイスプレイ）の表面に表示された所定内容を変更することはできなかった。
このため所定内容それぞれに応じて別の表示装置を用いる必要があり、その時々で所定内容を異ならせる必要がある場合には、多くの表示装置（例えば、店頭に７個の表示装置を配設しようとする場合、午前と午後とで異なる所定内容（即ち、２種類）を表示させようとすると、７個×２種類＝１４個を用いる必要がある。）を用いる必要があり、表示装置を購入等する費用を増加させたり、たくさんの収納空間を要するといった問題があった。さらに、所定内容が表示された表示装置は、該所定内容をもはや表示する必要がなくなった場合（例えば、該所定内容がある商品に関する広告・宣伝であった場合に、その商品の販売を中止したようなとき）には通常廃棄されるが、これは資源の有効利用に反したり廃棄物を増加させるといった問題を生じる。
そこで、本発明においては、流体を注入されることにより膨張する袋体を有する表示装置の表面に表示された所定内容を容易に変更することができる表示装置を提供することを目的とする。
【課題を解決するための手段】
【０００６】
本発明の表示装置（以下、「本装置」という。）は、流体を注入されることにより膨張する袋体により構成される本体部と、所定内容の表示が外面側から視認可能に表示され、本体部に外嵌されることで本体部により支持される筒状の表示部と、を備えてなる、表示装置である。
本体部は、流体を注入されることにより膨張する袋体により構成されるものであり、例えば、柔軟な薄いプラスチック材料（該流体を通過させない柔軟な樹脂製シート）により形成された袋体（内部に流体を所定時間以上保持しうるもの）を有し、かかる袋体に流体（例えば、空気、窒素、水素、ヘリウム等のような気体や、水、油等のような液体を例示することができる。）を注入することで膨張させることができる（例えば、前述の特許文献１に記載された、空気の注入によってふくらませることが出来る起立広告体等のようなものも一例である。）。
表示部は筒状（柱体の側面を含む部分を有する中空の立体）をしており、本体部に外嵌される（表示部が形成する筒状の中空部分に本体部の少なくとも一部が内嵌される。）ことで本体部により支持される。このように本体部に外嵌され支持された状態の表示部は、所定内容の表示が外面（表示部が形成する筒を形成する壁の両面のうち本体部に面する方とは反対側の面）側から視認可能に表示されている。なお、所定内容の表示とは視覚により認識できるものであればいかなるものであってもよく何ら制限されるものではないが、例えば、文字、図形、記号、模様、写真、図等を例示することができる。
このような本装置を用いれば、表示部の所定内容の表示が視認されると共に、表示部を取り替えることによって表示部の所定内容の表示を容易に変更することができる（本体部は変更する必要がない）ので、本装置の表面に表示された所定内容の表示を容易に変更することができる。
【０００７】
本体部が、流体を注入され膨張した状態で水平面に載置された場合、所定方向に自動的に向くよう偏在した重心を有するものであり、該所定方向に向いた本体部に外嵌された表示部の前記所定内容の表示が、該水平面に沿った方向から視認可能であってもよい。
本体部が、流体を注入され膨張した状態で水平面に載置された場合、所定方向に自動的に向くよう偏在した重心を有することにより、流体を注入され膨張した状態（即ち、使用状態）で表示装置が水平面（表示装置が通常載置される面）に載置された場合、本体部の重心が本体部の中心から偏在することで、本体部が所定方向に自動的に向く。即ち、本体部が、所謂「起き上がりこぼし」のように機能するものであり（特許文献１に記載されている「空気の注入によってふくらませることが出来ると共に、その底部に液体を収納し得る多重底を設けた起立広告体」もこのような「起き上がりこぼし」のように機能する。）、常に本体部が所定方向に向いた姿勢を保つように機能する（例えば、人が衝突したり風が吹くことで本体部に力が作用し姿勢を一端は崩しても、本体部はその後所定方向に向いた姿勢に戻る。）。このように所定方向に向いた本体部（保たれた姿勢）に外嵌された表示部の前記所定内容の表示が、該水平面に沿った方向から視認可能であれば、通常、本装置を水平面に載置し配設した場合、本装置の観察者は本装置を該水平面に沿った方向から観察することが多いので、表示部の前記所定内容の表示が観察者によって確実に視認されることができる。
【０００８】
本体部が柱体形状をした柱体部分を有しており、表示部が形成する筒が該柱体部分の側面を包囲するよう、表示部が本体部に外嵌されるもの（以下、「柱体本装置」という。）であってもよい。
こうすることで表示部が形成する筒が、本体部が有する柱体部分（なお、本体部が柱体部分からなるものであってもよい。）の側面を包囲するので（表示部が形成する筒状の内面が、本体部の少なくとも一部である柱体部分の側面に面するよう、表示部が形成する筒状の中空部分に、本体部の少なくとも一部である柱体部分が内嵌される。）、表示部が本体部に確実に支持される。
【０００９】
柱体本装置の場合、筒状の表示部が、シート部材が筒状に丸められることにより形成され、分断部分をシート部材が有するものであり、該分断部分の両側のうち片側に設けられる第１係合部と、該両側のうちもう一方に設けられる第２係合部と、を有してなり、第１係合部及び第２係合部が互いに係合することで分断部分が閉じられるもの（以下、「分断部分本装置」という。）であってもよい。
こうすることで表示部を形成するシート部材が分断部分を有するので、表示部が形成する筒が該柱体の側面を包囲するよう表示部が本体部に外嵌される際に、分断部分を分断させておけば該筒を該柱体に外嵌しやすくなる（例えば、該筒の内面が該柱体の側面に密接するような場合であれば、該内面と該側面との摩擦等により該筒を該柱体に外嵌しにくい場合がある。この場合でも分断部分を有し分断部分を広げておけばこの摩擦を減少させることができる。）。表示部を本体部に外嵌した後は、分断部分の両側のうち片側に設けられる第１係合部と、該両側のうちもう一方に設けられる第２係合部と、を互いに係合させることで分断部分を閉じるようにすればよい。また、表示部を本体部から取り外す場合には、まず、第１係合部と第２係合部との係合を解き分断部分を開いた後に取り外せばよい。
また、分断部分は、表示部が形成する筒の表面（シート部材の表面）に存する第１の点と、該第１の点よりも該筒の母線方向に離れた第２の点（シート部材の表面に存する。）と、をつなぐように形成されれば、分断部分を広げることで表示部が本体部に外嵌される際の摩擦を効果的に減少させることができる。なお、「筒の母線方向」とは、表示部が形成する筒（柱体の側面を含む部分を有する中空の立体）の母線（該柱体の母線）方向をいう。そして、「第１の点よりも該筒の母線方向に離れた第２の点」とは、第１の点から母線に下ろした垂線の足と、第２の点から該母線に下ろした垂線の足と、が異なる位置であることをいう。
【００１０】
分断部分本装置の場合、前記分断部分が、シート部材のうち前記柱体部分の両底部の少なくとも一方側の縁部に形成されておらず該縁部が環状になっているもの（以下、「環状縁部本装置」という。）であってもよい。
こうすることで環状になっている縁部に、本体部の柱状形状の両底部の一方側の端部を貫入させることで、シート部材の環状の縁部を本体部に容易かつ確実に外嵌させることができ、表示部を本体部に外嵌されるための作業を行いやすくすることができる（シート部材の環状の縁部を本体部に係合させれば、そうでない場合に比して表示部を本体部に外嵌されるための作業が楽になる。）。
【００１１】
環状縁部本装置の場合、前記縁部が形成する環状の周を収縮させる収縮手段を、表示部が有してなるものであってもよい。
環状になっている縁部に、本体部の柱状形状の両底部の一方側の端部を貫入させた後、本体部に対する表示部の位置を調節した後は、その位置が不意に動かない方が良い。このためには、収縮手段により縁部が形成する環状の周を収縮させるようにすれば環状の縁部と本体部とが摩擦力等により位置が不意に動くことを防止又は減少させることができる。
なお、収縮手段としては、縁部が形成する環状の周を収縮させることができるものであればいかなるものであってもよく何ら制限されるものではないが、例えば、環状の縁部に沿って配設された線材（紐、糸、ワイヤ、ロープ等）（該線材を締めて縛る等して環状の周を収縮させればよい。）、環状の縁部に沿って配設されたゴム紐や弦巻バネ（これらゴム紐や弦巻バネの収縮力により環状の周を収縮させればよい。）等を例示することができる。
【００１２】
前記所定内容が広告宣伝に関するものであってもよい。
商品、サービス、店舗等に関する広告宣伝は、短い時間に数多く変更されることが多く、さらに設置の容易さや手軽さ等から流体を注入されることにより膨張する袋体を有する表示装置により表示されることが多い。このため本装置が表示する前記所定内容を広告宣伝に関するものにすれば、短い時間に数多く変更される広告宣伝であっても容易に変更表示することができる。
【００１３】
本装置は、本体部と表示部とを一緒に販売等してもよいが、既存の流体を注入されることにより膨張する袋体を有する表示装置や既に購入済みの本体部を、本体部として用いることもでき、かかる場合であれば表示部のみを販売等してもよい。
【発明を実施するための最良の形態】
【００１４】
以下、本発明の実施の形態を図面を参照して説明する。しかしながら、これらによって本発明は何ら制限されるものではない。
【００１５】
図１は、本発明の表示装置（本装置）１１を示す斜視図である。図１は、本装置１１が、図示しない水平面に載置された状態（即ち、後述の気体封入部２３が形成する略直円柱形状の両底面２１ａ、２１ｂのうちの一方の底面２１ｂ（下面）が該水平面に載置されている。）を示しており、図中、鉛直上方向を矢印Ａにて、鉛直下方向を矢印Ｂにて、それぞれ示す。
本装置１１は、大まかには、略直円柱（該直円柱の軸Ｄが鉛直方向にほぼ向いている。）形状の本体部２１と、本体部２１に外嵌された表示部４１と、を備えてなる。
【００１６】
本体部２１は、特許文献１にも記載されていた「空気の注入によってふくらませることが出来ると共に、その底部に液体を収納し得る多重底を設けた」起きあがりこぼしに似たものである。図２は、本体部２１の断面図（本体部２１が形成する略直円柱の軸Ｄを含む平面（例えば、図１中、Ｃ−Ｃ面）によって切断したところを示している。なお、略直円柱の軸Ｄを含む平面による本体部２１の断面構造は、後述の気体バルブ２９を除き、略直円柱の軸Ｄを含む平面全てで同様である。）である（なお、図示及び理解を容易にするため、気体封入部２３の壁の厚みと、液体封入部２５の壁の厚みと、を実際よりも厚く図示している。）。図２を参照して、本体部２１について説明する。
本体部２１は、柔軟な薄いプラスチック材料（空気を通過させない柔軟な樹脂製シート）により形成された中空の略直円柱形状をした気体封入部２３と、気体封入部２３が形成する略直円柱形状の両底面２１ａ、２１ｂのうちの一方の底面２１ｂ（ここでは下側）に隣接する（ここでは底面２１ｂに接着又は融着されている。）ように気体封入部２３の内部空間２１ｆに配設された液体封入部２５（これも柔軟な薄いプラスチック材料（空気も水も通過させない柔軟な樹脂製シート）により形成されている。）と、液体封入部２５の内部２５ｃと気体封入部２３の外部２４との間の連通を自由に断続することができる液体バルブ２７（図示を容易にするため、液体が通過する流路の図示を省略している。）と、気体封入部２３の内部空間２１ｆのうち液体封入部２５の外部２１ｆ１と気体封入部２３の外部２４との間の連通を自由に断続することができる気体バルブ２９（図示を容易にするため、気体が通過する流路の図示を省略している。）と、を有している。
図１及び図２に示した本体部２１は、液体バルブ２７を経由して液体封入部２５の内部２５ｃに水（液体）が注入され満たされると共に、気体バルブ２９を経由して気体封入部２３の内部空間２１ｆのうち液体封入部２５の外部２１ｆ１に空気（気体）が注入され満たされている（無論、注入後は、液体バルブ２７も気体バルブ２９も閉じられている。）。このような状態の本体部２１は、液体封入部２５の内部２５ｃの水（液体）が重たいことから重心が下方に存在し（例えば、図２中の点Ｇ）、どのような姿勢で水平面に載置されても（例えば、側面２１ｓが、載置面たる水平面に接するよう横倒しの姿勢で載置されても）図２に示すように本体部２１が形成する略直円柱の軸Ｄが鉛直方向をほぼ向くように自動的に起きあがるし、何らかの力（例えば、人が力を加えたり、風に吹かれたような場合）が本体部２１に加わり図２の姿勢がくずれても図２に示すように本体部２１が形成する略直円柱の軸Ｄが鉛直方向をほぼ向くように自動的に姿勢が変化する（所謂、起きあがりこぼしのように機能する。）。
【００１７】
図３は、本体部２１から取り外された（抜き取られた）表示部４１を示す斜視図であり、図４は図３のＪ−Ｊ断面図であり、図５は表示部４１の一部拡大平面図（図３中、矢印Ｋ方向から見た一部を拡大している。）である。図１、図３〜図５を参照して、表示部４１について説明する。
表示部４１においては、両主表面がほぼ長方形をした柔軟な薄い布（例えば、ポリエチレンテレフタレート等のような合成繊維により形成された布）により形成された布部分４３によって筒形状を形成している。布部分４３は、筒の一縁（上縁）４１ａは環状になるように縫いつけられている（縫いつけた線材４２を図３及び図５に示した。）と共に、筒の他縁（下縁）４１ｂも一縁（上縁）４１ａと同様に環状になるように縫いつけられている（縫いつけた線材４４を図３及び図４に示した。）が、筒の一縁（上縁）４１ａと他縁（下縁）４１ｂとの間には分断部４５が形成されている。従って、布部分４３が形成する筒形状は、一端（上端）に第１開口４６ａと、他端（下端）に第２開口４６ｂと、一縁（上縁）４１ａと他縁（下縁）４１ｂとの間の分断部４５と、を有している。
【００１８】
そして、環状の一縁（上縁）４１ａに沿って（周回するように）ゴム紐４７（図５を参照されたい）が縫いつけられており（具体的には、一縁（上縁）４１ａに沿って袋縫いがされており、この袋縫いの内部にゴム紐４７が配設されている。）、このゴム紐４７の収縮力によって一縁（上縁）４１ａはすぼめられる（表示部４１は、図１では本体部２１に外嵌されているので一縁（上縁）４１ａが窄んでないが（即ち、本体部２１がゴム紐４７の収縮力を支持している。）、図３では本体部２１から取り外されているので一縁（上縁）４１ａが窄んでいる。）。同様に、環状の他縁（下縁）４１ｂに沿って（周回するように）ゴム紐４７ｂ（図４を参照されたい）が縫いつけられており（具体的には、他縁（下縁）４１ｂに沿って袋縫いがされており、この袋縫いの内部にゴム紐が配設されている。）、このゴム紐４７ｂの収縮力によって他縁（下縁）４１ｂはすぼめられる（表示部４１は、図１では本体部２１に外嵌されているので他縁（下縁）４１ｂが窄んでないが（即ち、本体部２１がゴム紐４７ｂの収縮力を支持している。）、図３では本体部２１から取り外されているので他縁（下縁）４１ｂが窄んでいる。）。
【００１９】
さらに、分断部４５を規定する両縁４８ａ、４８ｂのうち一縁４８ａに沿った裏面４３ｂには第１面ファスナー４９ａ（特に図４を参照されたい）が取り付けられると共に、他縁４８ｂに沿った表面４３ｆには第２面ファスナー４９ｂが取り付けられている。これら第１面ファスナー４９ａと第２面ファスナー４９ｂとは互いに係合可能であると共に、取り外すことも自由にできる（係脱自在）。
加えて、布部分４３の表面４３ｆの所定位置には、「牛肉大安売」との広告・宣伝の文言５１が記載されている（なお、布部分４３が有する両主表面のうち、本体部２１の側面２１ｓに面する方を裏面４３ｂとし、裏面４３ｂではない方を表面４３ｆとする。）。
なお、布部分４３は、図１に示すよう本体部２１が形成する略直円柱の側面２１ｓに外嵌されることができるような大きさにされており、一縁（上縁）４１ａに沿ったゴム紐４７と、他縁（下縁）４１ｂに沿ったゴム紐４７ｂと、は該略直円柱の側面２１ｓに沿ってのびることができるようなものを用いている。
【００２０】
このような本装置１１の使用方法について簡単に説明しておく。
第１に、図１及び図２に示したように液体封入部２５の内部２５ｃに水（液体）を注入し満たすと共に、気体封入部２３の内部空間２１ｆのうち液体封入部２５の外部２１ｆ１に空気（気体）を注入し満たす。
第２に、第１面ファスナー４９ａと第２面ファスナー４９ｂとの係合を解いた状態（図３のように分断部４５を開放した状態）で、第１にて用意した本体部２１に表示部４１を外嵌する。これは第１開口４６ａ又は第２開口４６ｂのいずれかから本体部２１を貫入させるようにしても、また開放された分断部４５から両底面２１ａ、２１ｂのうちのいずれか一方側を差し込んだ後に両底面２１ａ、２１ｂのうちのいずれか他方側を差し込む（表示部４１に対して本体部２１を軸Ｄ方向に沿ってスライドさせつつ行う。）ようにしてもよい。
第３に、本体部２１の軸Ｄ方向に沿った表示部４１の位置（即ち、高さ）を調節した後、第１面ファスナー４９ａと第２面ファスナー４９ｂとを係合させる。
以上のようにして、図１のような本装置１１を構成することができる。
【００２１】
このような本装置１１では、本体部２１は共通して用いることができるので、必要な内容（上述の例では、「牛肉大安売」との広告・宣伝の文言５１）が表示された表示部４１を用意することにより、様々な内容を表示することができる。例えば、上述の例の「牛肉大安売」との広告・宣伝の文言５１に代えて、「豚肉大安売」との広告・宣伝の文言を表示しようとすれば、「豚肉大安売」との広告・宣伝の文言が表示された表示部を用意するのみで本体部２１を新たに用意する必要はなく、表示内容を容易に変更することができる。
また、このような表示内容の変更作業に関しても、本体部２１を搬送等する必要はなく、異なる表示がされた表示部４１を搬送するのみで足り、変更作業負荷も低減させることができる。
なお、ここでは布部分４３が形成する筒の一縁（上縁）４１ａと他縁（下縁）４１ｂとは環状になるように縫いつけられているが、必ずしもこのように縫いつけられている必要はなく、分断部４５が軸Ｄ方向に沿って連続していてもよい。このように分断部４５が軸Ｄ方向に沿って連続している場合であれば、一縁（上縁）４１ａと他縁（下縁）４１ｂとについても分断部を閉じる手段が必要となるが、例えば、第１面ファスナー４９ａと第２面ファスナー４９ｂとがこの部分にも存在するようにしてもよい。
【００２２】
以上説明したように本装置１１は、流体（空気）を注入されることにより膨張する袋体により構成される本体部２１と、所定内容の表示（ここでは「牛肉大安売」との広告・宣伝の文言５１）が外面（表面４３ｆ）側から視認可能に表示され、本体部２１に外嵌されることで本体部２１により支持される筒状の表示部４１と、を備えてなる、表示装置である。
また、本体部２１が、流体（空気）を注入され膨張した状態で水平面に載置された場合（例えば、図１）、所定方向に自動的に向くよう（ここでは軸Ｄが鉛直方向をほぼ向くよう）偏在した重心（例えば、図２中、点Ｇの位置）を有するものであり、該所定方向に向いた本体部２１（図１のように、軸Ｄが鉛直方向をほぼ向いた本体部２１）に外嵌された表示部４１の前記所定内容の表示（ここでは「牛肉大安売」との広告・宣伝の文言５１）が、該水平面に沿った方向（例えば、図１中、矢印Ｅ方向）から視認可能である。
【００２３】
そして、本体部２１が柱体形状（略直円柱形状）をした柱体部分を有しており（ここでは本体部２１が柱体形状（略直円柱形状）をしている。）、表示部４１が形成する筒（ここではほぼ中空の直円柱の側面部分）が該柱体部分（本体部２１が形成する柱体（略直円柱）部分）の側面２１ｓを包囲するよう、表示部４１が本体部２１に外嵌されるものである。
また、筒状の表示部４１が、シート部材たる布部分４３が筒状に丸められることにより形成され、分断部分たる分断部４５をシート部材たる布部分４３が有するものであり、該分断部分たる分断部４５の両側（両縁４８ａ、４８ｂ）のうち片側（一縁４８ａ）に設けられる第１係合部たる第１面ファスナー４９ａと、該両側（両縁４８ａ、４８ｂ）のうちもう一方（他縁４８ｂ）に設けられる第２係合部たる第２面ファスナー４９ｂと、を有してなり、第１係合部（第１面ファスナー４９ａ）及び第２係合部（第２面ファスナー４９ｂ）が互いに係合することで分断部分たる分断部４５が閉じられるものである。なお、ここでは該分断部分たる分断部４５は、表示部４１が形成する筒の表面に存する第１の点（図３及び図５中、点Ｘ１）と、該第１の点（図３及び図５中、点Ｘ１）よりも該筒の母線方向に離れた第２の点（図３及び図４中、点Ｘ２）と、をつなぐように形成されている。
さらに、前記分断部分たる分断部４５が、シート部材たる布部分４３のうち前記柱体部分（本体部２１が形成する柱体（略直円柱））の両底部（底面２１ａ、２１ｂ）の少なくとも一方側（ここでは両方）の縁部（一縁（上縁）４１ａ及び他縁（下縁）４１ｂ）に形成されておらず該縁部（一縁（上縁）４１ａ及び他縁（下縁）４１ｂ）が環状になっているものである（ここでは線材４２及び線材４４により縫いつけられることで環状になっている。なお、ここでは線材４２及び線材４４のいずれも糸や紐等を用いている。）。
加えて、前記縁部（一縁（上縁）４１ａ及び他縁（下縁）４１ｂ）が形成する環状の周を収縮させる収縮手段たるゴム紐４７、４７ｂを、表示部４１が有してなるものである。
また、前記所定内容（「牛肉大安売」との広告・宣伝の文言５１）が広告宣伝に関するものである。
【図面の簡単な説明】
【００２４】
【図１】本発明の表示装置（本装置）を示す斜視図である。
【図２】本体部の断面図である。
【図３】本体部から取り外された表示部を示す斜視図である。
【図４】図３のＪ−Ｊ断面図である。
【図５】表示部の一部拡大平面図である。
【符号の説明】
【００２５】
１１            本装置
２１            本体部
２１ａ、２１ｂ  底面
２１ｆ          内部空間
２１ｆ１        気体封入部の内部空間のうち液体封入部の外部
２１ｓ          側面
２３            気体封入部
２４            外部
２５            液体封入部
２５ｃ          内部
２７            液体バルブ
２９            気体バルブ
４１            表示部
４１ａ          一縁（上縁）
４１ｂ          他縁（下縁）
４２、４４      線材
４３            布部分
４３ｂ          裏面
４３ｆ          表面
４５            分断部
４６ａ          第１開口
４６ｂ          第２開口
４７、４７ｂ    ゴム紐
４８ａ          一縁
４８ｂ          他縁
４９ａ          第１面ファスナー
４９ｂ          第２面ファスナー
５１            広告・宣伝の文言
【図１】
2007047344.tif 000003
【図２】
2007047344.tif 000004
【図３】
2007047344.tif 000005
【図４】
2007047344.tif 000006
【図５】
2007047344.tif 000007